【手続補正書】
【提出日】平成16年12月24日(2004.12.24)
【手続補正１】
【補正対象書類名】明細書
【補正対象項目名】特許請求の範囲
【補正方法】変更
【補正の内容】
【特許請求の範囲】
【請求項１】
車輪、ブレードなどの滑走手段（４）を有するスケート靴（３）において、スケー      ト場等の滑走面（８）に向けて、波長が４７０ｎｍ以下の短波長光（紫外線も      含む）を含む光を照射する短波長光照射手段（１）を備えたことを特徴とする      スケート靴。
【請求項２】
スケート靴（３）の滑走手段（４）が接地状態か、離陸状態かを検出するための      スイッチ、もしくは感圧センサーなどの接地検出手段（２）を備えた請求項1記載      のスケート靴。
【請求項３】
前記接地検出手段（２）が滑走手段（４）の接地を検出している時には短波長光      照射手段（１）が短波長光を照射もしくは増光し、滑走手段（４）の離陸を検出      している時には短波長光を消灯もしくは減光するスイッチ回路（７）を有すること      を特徴とする請求項１記載のスケート靴。
【請求項４】
前記スイッチ回路（７）は接地検出手段（２）が請求項３の機能を兼ね備える場合      においては省略が可能であるところの請求項１記載のスケート靴。
【手続補正２】
【補正対象書類名】明細書
【補正対象項目名】０００１
【補正方法】変更
【補正の内容】
【０００１】    【発明の属する技術分野】    本発明は、照明装飾効果を得るために滑走面に向けて短波長光を照射する短波長光    照射手段と、滑走手段の接地状態を検出する接地検出手段を備え、スイッチ回路に    よって、接地を検出している時には短波長光照射手段が短波長光を照射もしくは増光    せしめ、滑走手段の離陸を検出している時には消灯もしくは減光せしめるようにした    スケート靴に関するものである。
【手続補正３】
【補正対象書類名】明細書
【補正対象項目名】０００４
【補正方法】変更
【補正の内容】
【０００４】    スケート場の滑走面（８）に向けて波長が４７０ｎｍ以下の短波長光（紫外線も    含む）を含む光を照射する短波長光照射手段（１）と、スケート靴（３）に備わる    滑走手段（４）の接地状態を検出する接地検出手段（２）を備え、スイッチ回路    （７）によって接地を検出している時には短波長光照射手段（１）が滑走面（８）に    向けて短波長光を照射もしくは増光し、滑走手段（４）の離陸を検出している時には    短波長光を消灯もしくは減光せしめる。本発明は以上の構成よりなるスケート靴で    あり、滑走面（８）に蓄光層もしくは蛍光層（９）を備えたスケート場で本発明を    使用することにより、滑走した軌跡に光跡を残す、もしくは周囲の滑走面を発光    させることが可能となり、課題が解決される。
【手続補正４】
【補正対象書類名】明細書
【補正対象項目名】０００６
【補正方法】変更
【補正の内容】
【０００６】    スケート靴（３）の底面に短波長光照射手段（１）を設ける。短波長光の照射方向は    滑走面（８）に向け、短波長光が滑走面（８）に届くようにする。本発明でいう短    波長光照射手段（１）とは、波長が４７０ｎｍ以下の強い短波長光（紫外線域を    含む）を含む光を照射可能な手段であり、この照射光にこれ以外の波長の光が含まれ    てはならないというものではない。短波長光照射手段（１）の光源には例えば衝撃に    強い紫（紫外線）発光ダイオード（５）などを用いることが望ましい。短波長光を    含まない赤色や黄色等の発光色の単色発光ダイオードでは蓄光層もしくは蛍光層    （９）を発光せしめることが出来ないため、短波長光照射手段（１）に単独では    使用しない。
【手続補正５】
【補正対象書類名】明細書
【補正対象項目名】０００７
【補正方法】変更
【補正の内容】
【０００７】    短波長光照射手段（１）はバッテリー（６）を電源とし、バッテリー（６）はスケー    ト靴（３）に内蔵してもよいし、スケート靴（３）から配線を伸ばしてスケーターの    着衣のポケット等に納めてもよい。この場合、スケート靴（３）に備えた場合に左右    それぞれに必要であるバッテリー（６）をひとつにまとめることが出来る。
【手続補正６】
【補正対象書類名】明細書
【補正対象項目名】０００８
【補正方法】変更
【補正の内容】
【０００８】    スケート靴（３）に備わる滑走手段（４）の接地状態を検出するための接地検出    手段（２）をこの手段を機能させるために適した位置に備える。図1に示す実施例    では接地検出手段（２）を感圧センサーとしている。感圧センサーはこれに加わる    過重によって抵抗値が変化するものであり、固定抵抗器と直列に接続すれば、抵抗    値変化を分圧電圧値として取り出すことが出来る。スケーターの体重が一定値以上    センサーに加わった時の電圧を接地状態と判定し、スイッチ回路（７）内の比較    回路によってこの判定を行い、トランジスタによって短波長光照射手段（１）を    点灯もしくは増光させる。また、逆に感圧センサーに加わるスケーターの体重が    一定値以下の時は同様にして離陸したと判定し、短波長光照射手段（１）を減光    もしくは消灯せしめる。この制御により、足が接地している場合のみ強く発光する    ため、バッテリーの電流消費が節約出来、また、蓄光層を備えたスケート場に    おいては足が離陸している間に不要な光跡を描くことが防がれる。スイッチ回路    （７）はスケート靴（３）に内蔵してもよいし、バッテリーと一体の筐体に納め、    バッテリー（６）とともにスケート靴（３）から配線を伸ばしてスケーターの    着衣のポケット等に納めてもよい。尚、接地検出手段（２）が短波長光照射手段    （１）のスイッチの機能を兼ねる場合は、スイッチ回路（７）は省略が可能である。
【手続補正７】
【補正対象書類名】明細書
【補正対象項目名】０００９
【補正方法】変更
【補正の内容】
【０００９】    【発明の効果】    滑走面が蓄光塗料による塗装や、蓄光材料によって蓄光層が構成されているスケート    場において本発明のスケート靴を使用することによって、図２に示す様に滑走面に    接地している足元の蓄光層が短波長光によって励起、蓄光し、蓄光層が一定時間    自発光する。滑走時には蓄光層に光跡として滑った跡が残るため、外部から観察    すると、スケーターの脚の運びや軌道を見る楽しみが向上し、脚の運び等の滑り方を    学ぶためにも便利となる。また、スケート場の滑走面が蛍光塗料による塗装や、    蛍光色材料によって蛍光層が構成されている場合においては、接地している足元が    本発明のスケート靴により短波長光、主に紫外線域の光によって照らし出される    ことで発光し、美しい装飾効果、演出効果を得ることが可能となる。
【手続補正８】
【補正対象書類名】明細書
【補正対象項目名】図面の簡単な説明
【補正方法】変更
【補正の内容】
【図面の簡単な説明】      【図１】      本発明の断面図      【図２】      本発明の使用状態を示す図    【符号の説明】      １．短波長光照射手段      ２．接地検出手段      ３．スケート靴      ４．滑走手段      ５．紫（紫外線）発光ダイオード      ６．バッテリー      ７．スイッチ回路      ８．滑走面      ９．蓄光層または蛍光層      １０．滑走面の蓄光層に描かれる光跡
【手続補正９】
【補正対象書類名】図面
【補正対象項目名】図２
【補正方法】追加
【補正の内容】
【図２】
2004223210.tif 000001